(57)【要約】【課題】オペレータが誤って、またはまったく気づくことなくＨＤＤアクセス中の電源オフ操作を行ってしまうことを防止することが可能な電子機器を提供する。【解決手段】ハードディスク装置１、電源装置３、メインスイッチ４、システムコントローラ７を備えた電子機器において、開閉動作によりメインスイッチを露出、遮蔽するメインスイッチカバー６と、メインスイッチカバー６の開閉を検知する開閉検知センサ５と、ハードディスク装置１にアクセス中にメインスイッチカバー６を開けた場合、ブザーを鳴らすブザー装置２とを備えた。【選択図】        図１
2004272940.tif 000002
【特許請求の範囲】
【請求項１】
ハードディスク装置、電源装置、メインスイッチ、システムコントローラを備えた電子機器において、開閉動作によりメインスイッチを露出、遮蔽するメインスイッチカバーと、メインスイッチカバーの開閉を検知する開閉検知センサと、ハードディスク装置にアクセス中にメインスイッチカバーを開けた場合、ブザーを鳴らすブザー装置と、を備えたことを特徴とする電子機器。
【請求項２】
ハードディスク装置、電源装置、メインスイッチ、システムコントローラを備えた電子機器において、メインスイッチにタッチセンサを設け、ハードディスク装置にアクセス中にメインスイッチに触れた場合、ブザーを鳴らすブザー装置を備えたことを特徴とする電子機器。
【請求項３】
ハードディスク装置、電源装置、メインスイッチ、システムコントローラを備えた電子機器において、メインスイッチ近傍に配置された赤外線センサと、ハードディスク装置にアクセス中にメインスイッチに指を近づけた場合、ブザーを鳴らすブザー装置とを備えたことを特徴とする電子機器。
【請求項４】
ハードディスク装置、電源装置、メインスイッチ、システムコントローラを備えた電子機器において、メインスイッチにロック機構を設け、ハードディスク装置にアクセス中にメインスイッチを操作しようとしてもロック機構が働き、ロック機構を解除しない限りメインスイッチの操作ができないように構成したことを特徴とする電子機器。
【請求項５】
ハードディスク装置、電源装置、メインスイッチ、システムコントローラを備えた電子機器において、メインスイッチに帯電・除電装置を設け、ハードディスク装置にアクセス中にメインスイッチを操作しようとしてメインスイッチに触れた場合、帯電装置によりチャージされた静電気が放電されるように構成したことを特徴とする電子機器。
【発明の詳細な説明】
【０００１】
【発明の属する技術分野】
本発明は、ハードディスク装置を搭載した電子機器に関し、特にハードディスクアクセス中の電源断の防止技術に関するものである。
【０００２】
【従来の技術】
電子機器において、ハードディスク（以下、ＨＤＤ）アクセス中に電子機器の電源がオフされることが原因と推定される不具合が発生している。この不具合をなくすために、ＨＤＤアクセス中に誤って、または気付かないうちに電源オフされないようにする方法が提案されている。例えば、ＨＤＤアクセス中に誤って電源をオフしないよう、ＨＤＤアクセス中を示すＬＥＤを表示するのもその一例である。
また、強制的に電源オフするようなメカスイッチ（完全に電源の供給を遮断するようなスイッチ）を設けず、ソフト的な制御以外には電源をオフすることができない（制御信号により、オン・オフ制御するスイッチ）ソフトスイッチもその一例である。
また、パソコンの電源スイッチにカバーを付け、ディスクへのアクセス中にオフしないよう注意喚起を促したものがある（例えば、特許文献１参照）。また、フラッシュメモリへのデータの書換中は電源スイッチをロックし、その視覚及びまたは聴覚表示を行うようにしているものもある（例えば、特許文献２参照）。その他、装置本体カバーの開時、トナーカートリッジの不揮発性記憶手段への書込、読出を禁止するようにしたものや（例えば、特許文献３参照）、主電源スイッチを開閉可能なカバーで覆った画像形成装置（例えば、特許文献４参照）が存在する。
【特許文献１】実開平８−５５７号公報
【特許文献２】特開平９−１５２９１８号公報
【特許文献３】特開２００２−１９６６２９公報
【特許文献４】特開平１１−２２０５５９号公報
【０００３】
【発明が解決しようとする課題】
しかし、例えばＨＤＤアクセス中を示すＬＥＤを設ける方式の場合、オペレータがＬＥＤの表示に気付かない場合、ＨＤＤのアクセス中に電源をオフしてしまう可能性があり、課題に対して有効な効果が得られていない。また、同様にソフトスイッチを設ける方式の場合、ソフトの暴走等、システムの異常な状態での制御に問題があり、電源オフしたいときに電源オフできず、安全上も問題がある。本発明は、オペレータが誤って、またはまったく気づくことなくＨＤＤアクセス中の電源オフ操作を行ってしまうことを防止することが可能な電子機器を提供することを目的とする。
【０００４】
【課題を解決するための手段】
上記目的を達成するために、請求項１記載の発明は、ハードディスク装置、電源装置、メインスイッチ、システムコントローラを備えた電子機器において、開閉動作によりメインスイッチを露出、遮蔽するメインスイッチカバーと、メインスイッチカバーの開閉を検知する開閉検知センサと、ハードディスク装置にアクセス中にメインスイッチカバーを開けた場合、ブザーを鳴らすブザー装置とを備えた電子機器を最も主要な特徴とする。
請求項２記載の発明は、ハードディスク装置、電源装置、メインスイッチ、システムコントローラを備えた電子機器において、メインスイッチにタッチセンサを設け、ハードディスク装置にアクセス中にメインスイッチに触れた場合、ブザーを鳴らすブザー装置を備えた電子機器を最も主要な特徴とする。
請求項３記載の発明は、ハードディスク装置、電源装置、メインスイッチ、システムコントローラを備えた電子機器において、メインスイッチ近傍に配置された赤外線センサと、ハードディスク装置にアクセス中にメインスイッチに指を近づけた場合、ブザーを鳴らすブザー装置とを備えた電子機器を最も主要な特徴とする。
請求項４記載の発明は、ハードディスク装置、電源装置、メインスイッチ、システムコントローラを備えた電子機器において、メインスイッチにロック機構を設け、ハードディスク装置にアクセス中にメインスイッチを操作しようとしてもロック機構が働き、ロック機構を解除しない限りメインスイッチの操作ができないように構成した電子機器を最も主要な特徴とする。
請求項５記載の発明は、ハードディスク装置、電源装置、メインスイッチ、システムコントローラを備えた電子機器において、メインスイッチに帯電・除電装置を設け、ハードディスク装置にアクセス中にメインスイッチを操作しようとしてメインスイッチに触れた場合、帯電装置によりチャージされた静電気が放電されるように構成した電子機器を最も主要な特徴とする。
【０００５】
【発明の実施の形態】
以下、図面により本発明の実施の形態を詳細に説明する。
図１は本発明の第１の実施の形態に係る電子機器のブロック図である。本電子機器は、ハードディスク装置（ＨＤＤ）１、ブザー装置（警報装置）２、電源装置３、メインスイッチ４、開閉検知センサ５を備えたメインスイッチカバー６、それらを制御するシステムコントローラ７よりなる。オペレータがＨＤＤアクセス中に電源オフしようとした場合を例に、本実施形態の動作を説明する。
通常、メインスイッチカバー６は実線で示すように閉じた状態にありメインスイッチ４を操作できない状態となっている。オペレータが電源装置３をオフするためにメインスイッチ４を操作しようとする場合、メインスイッチカバー６を開ける必要がある。オペレータが電源オフするためにメインスイッチカバー６を開けた場合（点線状態）、開閉検知センサ５はメインスイッチカバー６が開けられたことを検知し、システムコントローラ７に開閉検知信号を送出することにより、メインスイッチカバー６が開けられた情報がシステムコントローラ７に伝わる。
この時、システムコントローラ７がＨＤＤ１にアクセス中の場合、このまま電源装置３をオフされるとＨＤＤ１に重大な問題が発生する可能性があるため、システムコントローラ７はブザー装置２にブサーＯＮ信号を与えブザーを鳴らす。ブザーが鳴ることでオペレータはＨＤＤアクセス中であることに気づく。
なお、ブザー装置２とは、音声による警報を行う装置の総称であり、ブザー音以外の警告音、音声等も含む聴覚的な警報装置についての概念である。
また、聴覚的な警報装置以外にも視覚にうったえる警報を画面や、表示ランプ等によって行うようにしても良い。
【０００６】
図２は開閉検知センサの一例を示す図である。開閉検知センサ５はリミットスイッチのみで構成される。通常メインスイッチカバー６が閉じた状態ではリミットスイッチ５のスイッチ部分は押し込まれた状態だが、メインスイッチカバー６を開けた状態ではスイッチ部分が開放される。これにより開閉を検知することが可能である。メインスイッチ４は図に示すように電源装置３の入力の手前でなくても、例えば電源装置３とシステムコントローラ７間に位置していてもよい。
図３は本発明の第２の実施の形態に係る電子機器のブロック図である。本電子機器は、ハードディスク装置（ＨＤＤ）１、ブザー装置２、電源装置３、タッチセンサ付メインスイッチ８、それらを制御するシステムコントローラ７よりなる。オペレータがＨＤＤアクセス中に電源オフしようとした場合を例に、本実施形態の動作を説明する。
オペレータが電源装置３をオフしようとする場合、メインスイッチ８を操作しようと手を触れる。このメインスイッチ８はタッチセンサを備えているため、手を触れるとシステムコントローラ７に信号が送出され、システムコントローラ７に、オペレータがメインスイッチ８に手を触れたとの情報が伝わる。
この時、システムコントローラ７がＨＤＤ１にアクセス中の場合、このまま電源装置３をオフされるとＨＤＤ１に重大な問題が発生する可能性があるため、システムコントローラ７はブザー装置２にブサーＯＮ信号を与えブザーを鳴らす。ブザーが鳴ることでオペレータはＨＤＤアクセス中であることに気づく。
【０００７】
図４は本発明の第３の実施の形態に係る電子機器のブロック図である。本電子機器は、ハードディスク装置（ＨＤＤ）１、ブザー装置２、電源装置３、メインスイッチ４、赤外線センサ９、それらを制御するシステムコントローラ７よりなる。オペレータがＨＤＤアクセス中に電源オフしようとした場合を例に、本実施形態の動作を説明する。
オペレータが電源装置３をオフしようとする場合、メインスイッチ４を操作しようと手を近づける。このメインスイッチ４近傍に赤外線センサ９を備えることにより、メインスイッチ４に手を近づけるとシステムコントローラ７に検知信号が送出され、システムコントローラ７に、オペレータがメインスイッチ４に手を近づけたとの情報が伝わる。
この時、システムコントローラ７がＨＤＤ１にアクセス中の場合、このまま電源装置３をオフされるとＨＤＤ１に重大な問題が発生する可能性があるため、システムコントローラ７はブザー装置２にブサーＯＮ信号を与えブザーを鳴らす。ブザーが鳴ることでオペレータはＨＤＤアクセス中であることに気づく。
【０００８】
図５は本発明の第４の実施の形態に係る電子機器のブロック図である。本電子機器は、ハードディスク装置（ＨＤＤ）１、電源装置３、メカ的なロック機構を備えたロック機構付メインスイッチ１０、それらを制御するシステムコントローラ７よりなる。オペレータがＨＤＤアクセス中に電源オフしようとした場合を例に、本実施形態の動作を説明する。
本実施形態ではシステムコントローラ７がＨＤＤ１にアクセス中のときは、メインスイッチ１０のロック制御信号を送出することによりメカ的なロック機構を作動させて、メインスイッチ１０を操作できない状態となっている。そのため、オペレータがＨＤＤアクセス中に電源装置３をオフしようとしても、メインスイッチ１０を操作することはできない。
【０００９】
図６はロック機構付メインスイッチの一例を示す図である。回動中心１１ａを中心として回動することによりオン・オフ状態が（１）に実線と点線で示すように切り替わるスイッチ片１１において、（２）に示すようなソレノイド１２を追加する。ソレノイド１２はロック制御信号によりプランジャ１２−１の状態を制御する。本実施形態の場合、プランジャ１２−１が押し出された状態のときにメカ的なロック機構が作動していることになる。
従って、システムコントローラ７がＨＤＤ１にアクセス中のときは、メインスイッチ１０のロック制御信号を送出することによりソレノイド１２を作動させてプランジャ１２−１を突出させて、メインスイッチ１０を操作できない状態となっている。そのため、オペレータがＨＤＤアクセス中に電源装置３をオフしようとしても、メインスイッチ１０を操作することはできない。
【００１０】
図７は本発明の第５の実施の形態に係る電子機器のブロック図である。本電子機器は、ハードディスク装置（ＨＤＤ）１、電源装置３、帯電・除電装置付メインスイッチ１３、それらを制御するシステムコントローラ７よりなる。オペレータがＨＤＤアクセス中に電源オフしようとした場合を例に、本実施形態の動作を説明する。
本実施形態ではシステムコントローラ７がＨＤＤ１にアクセス中のときは、メインスイッチ１３に帯電・除電制御信号を送出することにより、帯電装置に電荷がチャージされた状態となっている。従って、オペレータがＨＤＤアクセス中に電源装置３をオフするためメインスイッチ１３に触れると、帯電された電荷が人体に放電される。これによりオペレータは軽微な静電気ショックを受け、システムコントローラ７がＨＤＤ１にアクセス中であることに気づく。
システムコントローラ７は、ＨＤＤ１にアクセスが終了すると、メインスイッチ１３に帯電・除電制御信号を送出することにより除電装置が作動し帯電されている電荷を除去する。それにより、ＨＤＤアクセス中以外のメインスイッチ１３の操作にあたっては、静電気ショックを受けることはない。
【００１１】
【発明の効果】
以上説明したように、請求項１ないし５記載の発明においては、ＨＤＤアクセス中にメインスイッチを操作することによる不用意なシステム電源のオフを防止することが可能になるため、ＨＤＤの破壊・データ消失を未然に防止することができる。
【図面の簡単な説明】
【図１】本発明の第１の実施の形態に係る電子機器のブロック図である。
【図２】開閉検知センサの一例を示す図である。
【図３】本発明の第２の実施の形態に係る電子機器のブロック図である。
【図４】本発明の第３の実施の形態に係る電子機器のブロック図である。
【図５】本発明の第４の実施の形態に係る電子機器のブロック図である。
【図６】ロック機構付メインスイッチの一例を示す図である。
【図７】本発明の第５の実施の形態に係る電子機器のブロック図である。
【符号の説明】
１  ハードディスク装置
２  ブザー装置
３  電源装置
４  メインスイッチ
５  開閉検知センサ
６  メインスイッチカバー
【図１】
2004272940.tif 000003
【図２】
2004272940.tif 000004
【図３】
2004272940.tif 000005
【図４】
2004272940.tif 000006
【図５】
2004272940.tif 000007
【図６】
2004272940.tif 000008
【図７】
2004272940.tif 000009